(57)【要約】【課題】従来技術のメタルハライドアーク放電ランプの欠点を解消し、アーク放電ランプ用のマウント構造を改善し、電気的に絶縁されたマウント構造を提供することである。【解決手段】バレル部を有するフレアと、該バレル部に取り付けられたクリップを有するフレームと、空間的に離れた第１のストラップおよび第２のストラップと、アーク管とが設けられており、前記フレームは、空間的に１８０°離れている第１の側部ロッドおよび第２の側部ロッドを有しており、前記側部ロッドの遠位の端部は該クリップに取り付けられており、前記側部ロッドは所定の長さを有しており、前記第１のストラップおよび第２のストラップは、前記側部ロッドの近位の端部と遠位の端部との間にある前記第１の側部ロッドおよび第２の側部ロッドを結合し、該アーク管は、前記第１のストラップと第２のストラップとの間に固定されているマウントによって解決される。【選択図】図１
2005332818.tif 000002
【特許請求の範囲】
【請求項１】
メタルハライドアーク放電ランプ用のマウントにおいて、
バレル部を有するフレアと、該バレル部に取り付けられたクリップを有するフレームと、空間的に離れた第１のストラップおよび第２のストラップと、アーク管とが設けられており、
前記フレームは、第１の側部ロッドおよび第２の側部ロッドを有しており、
前記第１の側部ロッドおよび第２の側部ロッドは空間的に１８０°離れ、遠位の端部および近位の端部を有しており、
前記遠位の端部は該クリップに取り付けられており、
前記側部ロッドは所定の長さを有しており、
前記第１のストラップおよび第２のストラップは、前記近位の端部と遠位の端部との間にある前記第１の側部ロッドおよび第２の側部ロッドを結合し、
該アーク管は、前記第１のストラップと第２のストラップとの間に固定されていることを特徴とするマウント。
【請求項２】
前記近位の端部は、外向きに分岐している、請求項１記載のマウント。
【請求項３】
該バレル部は２つの導入線を有している、請求項２記載のマウント。
【請求項４】
該アーク管は、各端部にそれぞれ電極を有している、請求項３記載のマウント。
【請求項５】
前記フレームは電気的に絶縁されている、請求項４記載のマウント。
【請求項６】
前記電気的な絶縁は、前記導入線のうち１つを該電極のうち１つに電気的に接続し、前記導入線のうち他方を該電極のうち他方に電気的に接続することによって行われており、前記フレームは、該アーク管に対するサポートのみ提供するように構成されている、請求項５記載のマウント。
【発明の詳細な説明】
【技術分野】
【０００１】
本発明は、メタルハライドアーク放電ランプに関し、とりわけメタルハライドアーク放電ランプ用のマウントに関する。
【背景技術】
【０００２】
メタルハライドアーク放電ランプは、高い発光効率および長い寿命を有するため、商業上の用途にてしばしば使用される。典型的なメタルハライドアーク放電ランプは、水晶または溶融石英のアーク管を有し、このアーク管はホウケイ酸ガラスの外部エンベロープに気密に封入される。それ自体は気密封入されたアーク管は、対向する両端部に封止されたタングステン電極を有しており、始動のために使用されるメタルハライド添加物および希ガスを含む充填材料を有している。この中に水銀も加えることができる。幾つかのケース、特に高ワットのランプでは、外部エンベロープに窒素または別の不活性ガスが、大気圧より低い圧力で充填される。別のケース、特に低ワットのランプでは、外部エンベロープは排気される。
【０００３】
実際にランプを製造するためにはもちろん、アーク管を外部エンベロープ内に取り付けなければならない。従来使用されていたマウントは、比較的多くの部品を有しているので、比較的多くの溶着部を有している。オートメーション化されたマウントアセンブリを達成するための努力は、実用段階では成功しておらず、このような努力が失敗することでランプのコストが上昇してしまう。また従来は、ワットが異なればランプのマウントを特別な構造にしなければならず、このこともコスト上昇の原因となっている。
【０００４】
さらに、マウントによってアーク管からのナトリウムの泳動が引き起こされないように、または助長されないようにすることも重要である。このことがしばしば起こると、ランプの光出力に悪影響が及ぼされる。
【発明の開示】
【発明が解決しようとする課題】
【０００５】
したがって本発明の課題は、従来技術のメタルハライドアーク放電ランプの欠点を解消し、アーク放電ランプ用のマウント構造を改善し、電気的に絶縁されたマウント構造を提供することである。
【課題を解決するための手段】
【０００６】
前記課題は、本発明の１つの側面では、バレル部を含むフレアが設けられたメタルハライドアーク放電ランプ用のマウントによって解決される。クリップを有するフレームが前記バレル部に取り付けられており、遠位の端部および近位の端部を有し１８０°離れた第１の側部ロッドおよび第２の側部ロッドの遠位の端部は、該クリップに取り付けられている。これらのロッドは所定の長さを有する。空間的に離れた第１のストラップおよび第２のストラップが、近位の端部と遠位の端部との間にある第１の側部ロッドと第２の側部ロッドとを結合する。アーク管は、第１のストラップと第２のストラップとの間に固定されている。
【発明の効果】
【０００７】
このマウントの部品の数は減少されているので、溶着部の数も減少されている。アーク管のストラップは、従来は手動で取り付けなければならなかったが、オートメーションでも手動でも簡単に取り付けることができる。フレームは電気的に絶縁されているので、ナトリウム泳動に対処することができ、完全なフレームを設計することにより、マウントの強度が向上される。
【実施例】
【０００８】
本発明を、別の目的、利点および構成とともにより理解しやすくするため、以下の開示内容および請求項を図面と関連して参照する。
【０００９】
ここで詳細に示された図面を参照すると、この図にはマウント１０を有するアーク放電ランプ８が示されている。エンベロープ１２がマウントを包囲しており、このエンベロープ１２の一方の端部にはドーム１４が設けられ、反対側の端部をフレア２０が封止している。フレア２０はバレル部３０を有している。
【００１０】
フレーム３２はクリップ４０を有しており、このクリップ４０はバレル部と第１の側部ロッド５０および第２の側部ロッド６０とに取り付けられている。これらの側部ロッドは空間的に１８０°離れており、これらの側部ロッドの遠位端部７０はクリップに取り付けられている。クリップ４０はＣ字形になっており、有利にはその場所で摩擦嵌めによってバレル部３０に保持されている。
【００１１】
ロッド５０および６０は、実質的にエンベロープ１２の全長と等しい所定の長さを有している。ロッド５０および６０の近位端部８０は外向きに分岐されており、すなわちエンベロープの長手方向の中心から離れており、ばね作用によってドーム１４の内側表面に係合されている。
【００１２】
空間的に離れた第１のストラップ９０および第２のストラップ１００はそれぞれ、近位端部と遠位端部との間にあるロッド５０と６０とを結合し、その間にアーク管１１０を固定している。
【００１３】
バレル部３０は２つの導入線１２０，１３０を有しており、これらの導入線１２０，１３０は該バレル部３０に封入されている。アーク管１１０は電極１４０および１５０を有しており、これらはそれぞれ端部１４０ａおよび１５０ａに封入されている。ここに図示されている実施形態では、補助電極１５１が従来技術において公知のように、電極１５０に隣接して設けられている。導入線１２０はコネクタ１２１を介して電極１４０に電気的に接続されており、導入線１３０はコネクタ１３１を介して電極１５０に電気的に接続されている。補助電極１５１は公知のように、抵抗器１５２を介して導入線１２０に接続されている。
【００１４】
このような構成によって、フレームがアーク管１１０から電気的に絶縁され、従来技術において珍しくない電気的な接続が発生しなくなる。したがって、ロッド５０および６０がアーク管１１０に近接していることによって起こるナトリウム泳動におけるいかなる懸念も格段に低減される。
【００１５】
このフレームは凹凸を有し、このフレームの構成は容易にオートメーション化できるので、ランプのコストは低減され、抵抗溶着部の所要数も低減される。外向きに分岐されたフレームロッドの近位端部によって、マウントアセンブリ全体の上部のサポートが提供され、外部エンベロープのスクラッチが低減される。
【００１６】
ここでは、本発明の有利な実施形態とされている構成を図示および説明したが、当業者であれば、請求項によって定義された本発明の範囲から逸脱することなく種々の変更が可能であることが理解できる。
【図面の簡単な説明】
【００１７】
【図１】本発明の実施形態の断面の一部分を示す立面図である。
【符号の説明】
【００１８】
１０            マウント
１２            エンベロープ
１４            ドーム
２０            フレア
３０            バレル部
４０            クリップ
５０，６０      側部ロッド
７０            遠位端部
８０            近位端部
９０，１００    ストラップ
１１０          アーク管
１２０，１３０  導入線
１２１，１３１  コネクタ
１４０，１５０  電極
１５１          補助電極
１５２          抵抗器
【図１】
2005332818.tif 000003